(57)【要約】【課題】ゲートウェイ装置及びＨＤＬＣフォーマット変換方法に関し、ＨＤＬＣフォーマットのパケットをＵＤＰ／ＩＰフォーマットに変換する際の遅延を短縮し、ＵＤＰ／ＩＰのプロトコルのネットワークを介して接続された送信相手先の情報伝送装置へのＨＤＬＣパケット転送遅延時間を短縮する。【解決手段】ゲートウェイ装置１−１は、情報伝送装置４−１からＨＤＬＣパケットを受信し、ＨＤＬＣフォーマットのデータを１バイト分受信する毎に、ＵＤＰ／ＩＰ変換部１−１２でＵＤＰ／ＩＰフォーマットのパケットへ変換し、送信部１−１３から１バイトのデータのＵＤＰ／ＩＰパケットをＵＤＰ／ＩＰのＬＡＮへ送信する。また、ＬＡＮから受信部１−１４で受信されたＵＤＰ／ＩＰパケットを、ＨＤＬＣフォーマット変換部１−１５でＨＤＬＣフォーマットに変換し、送信部１−１６によりＨＤＬＣ回線を介して第２の送信先の情報伝送装置４−４へ送信する。【選択図】図１
2008219215.tif 000002
【特許請求の範囲】
【請求項１】
ＨＤＬＣ回線で接続された第１の情報伝送装置から、ＨＤＬＣフォーマットのデータを受信し、該ＨＤＬＣフォーマットのデータを１バイト分受信する毎に該データを出力する受信部と、該受信部から出力される１バイトのデータをＵＤＰ／ＩＰフォーマットのパケットへ変換するＵＤＰ／ＩＰ変換部と、該１バイトのデータのＵＤＰ／ＩＰパケットを、ＵＤＰ／ＩＰのプロトコルのネットワークへ送信する送信部とを備え、
かつ、ＵＤＰ／ＩＰのプロトコルのネットワークから、１バイトのデータのＵＤＰ／ＩＰパケットを受信する受信部と、該受信部で受信された１バイトのデータのＵＤＰ／ＩＰフォーマットのパケットを、ＨＤＬＣのフォーマットに変換するＨＤＬＣフォーマット変換部と、該ＨＤＬＣフォーマットのデータを１バイトずつ、ＨＤＬＣ回線を介して第２の情報伝送装置へ送信する送信部とを備えたゲートウェイ装置。
【請求項２】
ＨＤＬＣ回線で接続された第１の情報伝送装置から、ＨＤＬＣフォーマットのデータを受信し、該ＨＤＬＣフォーマットのデータをバイト単位で細分化して出力する受信部と、該受信部から出力されるバイト単位の細分化したデータを、バイト単位の細分化したデータ毎にＵＤＰ／ＩＰフォーマットのパケットへ変換するＵＤＰ／ＩＰ変換部と、該バイト単位の細分化したデータのＵＤＰ／ＩＰパケットを、ＵＤＰ／ＩＰのプロトコルのネットワークへ送信する送信部とを備え、
かつ、ＵＤＰ／ＩＰのプロトコルのネットワークから、バイト単位の細分化したデータのＵＤＰ／ＩＰパケットを受信する受信部と、該受信部で受信された、バイト単位の細分化したデータのＵＤＰ／ＩＰフォーマットのパケットを、ＨＤＬＣのフォーマットに変換するＨＤＬＣフォーマット変換部と、該ＨＤＬＣフォーマットのデータを、バイト単位の細分化したデータ毎に、ＨＤＬＣ回線を介して第２の情報伝送装置へ送信する送信部とを備えたゲートウェイ装置。
【請求項３】
ＨＤＬＣ回線で接続された第１の情報伝送装置から、ＨＤＬＣフォーマットのデータを受信し、該ＨＤＬＣフォーマットのデータを１バイト分受信する毎に該データを出力する１バイトデータ受信ステップと、
前記１バイトのデータをＵＤＰ／ＩＰフォーマットのパケットへ変換するＵＤＰ／ＩＰ変換ステップと、該１バイトのデータのＵＤＰ／ＩＰパケットを、ＵＤＰ／ＩＰのプロトコルのネットワークへ送信する１バイトデータ送信ステップと、
ＵＤＰ／ＩＰのプロトコルのネットワークから、１バイトのデータのＵＤＰ／ＩＰパケットを受信する受信ステップと、該１バイトのデータのＵＤＰ／ＩＰフォーマットのパケットを、ＨＤＬＣのフォーマットに変換するＨＤＬＣフォーマット変換ステップと、
前記ＨＤＬＣフォーマットのデータを１バイトずつ、ＨＤＬＣ回線を介して第２の情報伝送装置へ送信する１バイト送信ステップと
を含むことを特徴とするＨＤＬＣフォーマット変換方法。
【請求項４】
ＨＤＬＣ回線で接続された第１の情報伝送装置から、ＨＤＬＣフォーマットのデータを受信し、該ＨＤＬＣフォーマットのデータをバイト単位で細分化して出力するバイト単位データ受信ステップと、
前記バイト単位の細分化データをＵＤＰ／ＩＰフォーマットのパケットへ変換するＵＤＰ／ＩＰ変換ステップと、該バイト単位の細分化データのＵＤＰ／ＩＰパケットを、ＵＤＰ／ＩＰのプロトコルのネットワークへ送信するバイト単位データ送信ステップと、
ＵＤＰ／ＩＰのプロトコルのネットワークから、バイト単位の細分化データのＵＤＰ／ＩＰパケットを受信する受信ステップと、該バイト単位の細分化データのＵＤＰ／ＩＰフォーマットのパケットを、ＨＤＬＣのフォーマットに変換するＨＤＬＣフォーマット変換ステップと、
前記ＨＤＬＣフォーマットのデータを、バイト単位の細分化データ毎に、ＨＤＬＣ回線を介して第２の情報伝送装置へ送信するバイト単位送信ステップと
を含むことを特徴とするＨＤＬＣフォーマット変換方法。
【発明の詳細な説明】
【技術分野】
【０００１】
本発明は、ゲートウェイ装置及びＨＤＬＣフォーマット変換方法に関し、特に、ＨＤＬＣ（High-Level Data Link Control：ハイレベルデータリンク制御手順）のプロトコルで信号を送受する情報伝送装置同士を、ゲートウェイ装置及びＵＤＰ／ＩＰ（User Datagram Protocol/Internet Protocol）のプロトコルのＬＡＮ（Local Area Network）等のネットワークを介して接続したシステムにおいて、該情報伝送装置間でＵＤＰ／ＩＰのネットワークを介した通信を行う場合に、ＨＤＬＣフォーマットのデータをＵＤＰ／ＩＰフォーマットに変換し、またその逆のフォーマット変換を行う、ゲートウェイ装置及びＨＤＬＣフォーマット変換方法に関する。
【背景技術】
【０００２】
図４を参照して、従来のゲートウェイ装置によるＨＤＬＣフォーマット−ＵＤＰ／ＩＰパケット変換の手順について説明する。同図は、対向通信システムからＲＲレスポンスを受信する場合のＨＤＬＣフォーマット−ＵＤＰ／ＩＰパケット変換の手順の例を示している。
【０００３】
同図に示すように、第１の情報伝送装置４−１がＨＤＬＣ回線により第１のゲートウェイ装置４−２と接続され、第１のゲートウェイ装置４−２がＵＤＰ／ＩＰのプロトコルのＬＡＮを介して、第２のゲートウェイ装置４−３と接続され、第２のゲートウェイ装置４−３がＨＤＬＣ回線で第２の情報伝送装置４−４に接続されているものとする。
【０００４】
ここで、第１の情報伝送装置４−１が、ＵＤＰ／ＩＰのプロトコルのＬＡＮを介して、第２の情報伝送装置４−４とＨＤＬＣパケットによる通信を行おうとする場合、まず、（ｉ）第１の情報伝送装置４−１は、ＨＤＬＣフォーマットでパケット（Ｉコマンド）を第１のゲートウェイ装置４−２に送信し、（ii）第１のゲートウェイ装置４−２は、該ＨＤＬＣフォーマットのパケット（Ｉコマンド）の全データをバッファに格納した後、（iii）ＵＤＰ／ＩＰフォーマットのパケットへ変換してＬＡＮへ送信する。
【０００５】
対向する第２の情報伝送装置４−４の側では、（iv）ＬＡＮを介して第２のゲートウェイ装置４−３がＵＤＰ／ＩＰフォーマットのパケットを受信し、（ｖ）該パケットのデータを全てバッファに格納した後に、ＨＤＬＣフォーマットに変換し、（vi）該ＨＤＬＣフォーマットのパケット（Ｉコマンド）を第２の情報伝送装置４−４へＨＤＬＣのプロトコルにより送信する。第２の情報伝送装置４−４では、第２のゲートウェイ装置４−３から送信されたＨＤＬＣパケット（Ｉコマンド）を受信する。
【０００６】
第２の情報伝送装置４−４は、該ＨＤＬＣパケット（Ｉコマンド）を受信すると、（vii）コマンドを受信した旨の応答であるＲＲレスポンスを、ＨＤＬＣフォーマットのパケットで第１の情報伝送装置４−１を送信先として第２のゲートウェイ装置４−３に送信し、（viii）第２のゲートウェイ装置４−３は、ＲＲレスポンスのＨＤＬＣフォーマットのパケットをＵＤＰ／ＩＰフォーマットのパケットに変換して第１のゲートウェイ装置４−２に送信する。
【０００７】
第１のゲートウェイ装置４−２は、（ix）該ＲＲレスポンスのＵＤＰ／ＩＰフォーマットのパケットをＨＤＬＣフォーマットに変換し、該ＨＤＬＣフォーマットのパケット（ＲＲレスポンス）を第１の情報伝送装置４−１へＨＤＬＣのプロトコルにより送信する。第１の情報伝送装置４−１では、第１のゲートウェイ装置４−２から送信されたＨＤＬＣパケット（ＲＲレスポンス）を受信する。
【０００８】
従来のゲートウェイ装置４−２，４−３は、情報伝送装置４−１，４−４から送信されたＨＤＬＣフォーマットのパケットを一旦蓄積し、その１パケット分の全てのデータが揃ったところで、ＵＤＰ／ＩＰフォーマットのパケットに変換し、ＬＡＮに送信する。また、ＬＡＮから受信されたＵＤＰ／ＩＰフォーマットのパケットを一旦蓄積し、その１パケット分の全てのデータが揃ったところで、ＨＤＬＣフォーマットのパケットに変換し、情報伝送装置４−１，４−４へ送信する。
【０００９】
そのため、第１の情報伝送装置４−１と第２の情報伝送装置４−４との間で送受されるＨＤＬＣパケットは、２つのゲートウェイ装置４−２，４−３で１パケット分の全てのデータが蓄積されるため、１パケット分の全てのデータを蓄積する時間分、相手先に届くまで多くの時間が掛かってしまう。
【００１０】
特に、第１の情報伝送装置４−１がＩコマンド（ＨＤＬＣパケット）を送信した後、該Ｉコマンド（ＨＤＬＣパケット）に対する第２の情報伝送装置４−４からのＲＲレスポンス（ＨＤＬＣパケット）の到来を待って次のパケットを送信する場合、２つのゲートウェイ装置４−２，４−３でフォーマット変換のために、全パケットデータの蓄積に費やされる時間によって、転送遅延が長大化してしまう。
【００１１】
この欠点を改善するために、ＲＲレスポンス（ＨＤＬＣパケット）の返送を早める手順が提案されている。この改善手順について図５を参照して説明する。この改善手順では、（ｉ）第１の情報伝送装置４−１がＩコマンド（ＨＤＬＣパケット）を送信し、（ii）第１のゲートウェイ装置４−２は、該Ｉコマンド（ＨＤＬＣパケット）を受信した時点で、ＬＡＮを介したＲＲレスポンス（ＵＤＰ／ＩＰパケット）の受信を待つことなく、直ちに、第１の情報伝送装置４−１にＲＲレスポンス（ＨＤＬＣパケット）を送信する。
【００１２】
そして、（iii）第１のゲートウェイ装置４−２は、ＨＤＬＣフォーマットのパケット（Ｉコマンド）の全データをバッファに格納した後、（iv）ＵＤＰ／ＩＰフォーマットのパケットへ変換してＬＡＮへ送信する。（ｖ）第２のゲートウェイ装置４−３はＬＡＮを介してＵＤＰ／ＩＰフォーマットのパケットを受信し、（vi）該パケットのデータを全てバッファに格納した後に、（vii）ＨＤＬＣフォーマットに変換し、ＨＤＬＣパケット（Ｉコマンド）を第２の情報伝送装置４−４へ送信する。
【００１３】
但し、この改善手順では、第２のゲートウェイ装置４−３と第２の情報伝送装置４−４との間で、回線断等の通信障害が発生し、パケットを送受することができない状態となっていた場合であっても、第１の情報伝送装置４−１は、送信したＩコマンド（ＨＤＬＣパケット）に対するＲＲレスポンス（ＨＤＬＣパケット）が、第１のゲートウェイ装置４−２から返送されてくるため、第２の情報伝送装置４−４との通信が正常に行われるものとして認識してしまう。
【００１４】
その結果、その後のデータの遣り取りによって、第２の情報伝送装置４−４との間の通信障害を検出し、回線クローズ（閉鎖）を行うまで、数パケット分のＩコマンドを送信してしまい、第１の情報伝送装置４−１と第２の情報伝送装置４−４とで、パケット送達の認識にずれが生じてしまう。
【００１５】
本発明に関連する先行技術文献として、第１のネットワークと第２のネットワークとを接続するゲートウェイ装置において、第１のネットワーク上のコンピュータから送信されたＨＤＬＣフレームを受信する手段と、受信されたＨＤＬＣフレームをＵＤＰ／ＩＰパケットに変換する手段と、変換されたＵＤＰ／ＩＰパケットを第２のネットワークへ送信する手段とを具備したゲートウェイ装置等について、下記の特許文献１に記載されている。
【特許文献１】特開２００４−２０８０４２号公報
【発明の開示】
【発明が解決しようとする課題】
【００１６】
前述したように、従来のゲートウェイ装置４−２，４−３は、ＨＤＬＣ回線から受信したＨＤＬＣフォーマットのパケットを一旦蓄積し、その１パケット分の全てのデータが揃ったところで、ＵＤＰ／ＩＰフォーマットのパケットに変換して送信する。また、ＬＡＮから受信したＵＤＰ／ＩＰフォーマットのパケットに対しても同様に一旦蓄積し、その１パケット分の全てのデータが揃ったところで、ＨＤＬＣフォーマットのパケットに変換して送信する。
【００１７】
そのため、第１の情報伝送装置４−１と第２の情報伝送装置４−４との間で送受されるＨＤＬＣパケットは、２つのゲートウェイ装置４−２，４−３で１パケット分の全てのデータが蓄積されるため、１パケット分の全てのデータを蓄積する時間分、相手先に届くまで多くの時間が掛かってしまう。
【００１８】
特に、第１の情報伝送装置４−１がＩコマンド（ＨＤＬＣパケット）を送信した後、該Ｉコマンド（ＨＤＬＣパケット）に対する第２の情報伝送装置４−４からのＲＲレスポンス（ＨＤＬＣパケット）の到来を待ってから次のパケットを送信する場合、２つのゲートウェイ装置４−２，４−３での全パケットデータの蓄積に費やされる時間によって転送遅延が長大化する。
【００１９】
また、図５で説明したように、Ｉコマンド（ＨＤＬＣパケット）の送信先からのＲＲレスポンス（ＨＤＬＣパケット）の到来を待つことなく、Ｉコマンド（ＨＤＬＣパケットを受信したゲートウェイ装置でＲＲレスポンス（ＨＤＬＣパケット）を返送する手順では、送信先で通信障害が発生している場合に、該通信障害を検出して回線クローズを行うまでに、数パケット分のＩコマンドを送信してしまい、送信先との間でパケット送達の認識にずれが生じてしまう。
【００２０】
本発明は、ＨＤＬＣのプロトコルを使用する情報伝送装置を、ゲートウェイ装置を介してＵＤＰ／ＩＰのプロトコルのＬＡＮ等のネットワークを経由して接続したシステムにおいて、ＨＤＬＣフォーマットのパケットをＵＤＰ／ＩＰフォーマットに変換する際の遅延を短縮し、ＵＤＰ／ＩＰのプロトコルのネットワークを介して接続された送信相手先の情報伝送装置へのＨＤＬＣパケット転送の遅延時間を減少させることができるゲートウェイ装置及びＨＤＬＣフォーマット変換方法を提供する。
【課題を解決するための手段】
【００２１】
本発明のゲートウェイ装置は、ＨＤＬＣ回線で接続された第１の情報伝送装置から、ＨＤＬＣフォーマットのデータを受信し、該ＨＤＬＣフォーマットのデータを１バイト分受信する毎に該データを出力する受信部と、該受信部から出力される１バイトのデータをＵＤＰ／ＩＰフォーマットのパケットへ変換するＵＤＰ／ＩＰ変換部と、該１バイトのデータのＵＤＰ／ＩＰパケットを、ＵＤＰ／ＩＰのプロトコルのネットワークへ送信する送信部とを備え、かつ、ＵＤＰ／ＩＰのプロトコルのネットワークから、１バイトのデータのＵＤＰ／ＩＰパケットを受信する受信部と、該受信部で受信された１バイトのデータのＵＤＰ／ＩＰフォーマットのパケットを、ＨＤＬＣのフォーマットに変換するＨＤＬＣフォーマット変換部と、該ＨＤＬＣフォーマットのデータを１バイトずつ、ＨＤＬＣ回線を介して第２の情報伝送装置へ送信する送信部とを備えたものである。
【００２２】
また、前記ＨＤＬＣフォーマットのデータを１バイト分受信する毎にＵＤＰ／ＩＰフォーマットのパケットへ変換する構成に代えて、ＨＤＬＣフォーマットのデータをバイト単位で細分化したデータ毎にＵＤＰ／ＩＰフォーマットのパケットへ変換する構成としたものである。
【００２３】
また、本発明のＨＤＬＣフォーマット変換方法は、ＨＤＬＣ回線で接続された第１の情報伝送装置から、ＨＤＬＣフォーマットのデータを受信し、該ＨＤＬＣフォーマットのデータを１バイト分受信する毎に該データを出力する１バイトデータ受信ステップと、前記１バイトのデータをＵＤＰ／ＩＰフォーマットのパケットへ変換するＵＤＰ／ＩＰ変換ステップと、該１バイトのデータのＵＤＰ／ＩＰパケットを、ＵＤＰ／ＩＰのプロトコルのネットワークへ送信する１バイトデータ送信ステップと、ＵＤＰ／ＩＰのプロトコルのネットワークから、１バイトのデータのＵＤＰ／ＩＰパケットを受信する受信ステップと、該１バイトのデータのＵＤＰ／ＩＰフォーマットのパケットを、ＨＤＬＣのフォーマットに変換するＨＤＬＣフォーマット変換ステップと、前記ＨＤＬＣフォーマットのデータを１バイトずつ、ＨＤＬＣ回線を介して第２の情報伝送装置へ送信する１バイト送信ステップとを含むことを特徴とする。
【発明の効果】
【００２４】
本発明によれば、ＨＤＬＣフォーマットをＵＤＰ／ＩＰフォーマットに変換する際に、ＨＤＬＣパケットデータを全て受信してから変換するのではなく、１バイトのデータを受信する毎に、１バイトデータずつＵＤＰ／ＩＰフォーマットに変換を行うことにより、該フォーマット変換処理における処理遅延を、１バイト分のデータ受信時間に短縮することができ、ＵＤＰ／ＩＰのプロトコルのネットワークを介して接続された送信相手先の情報伝送装置へのＨＤＬＣパケット転送の遅延時間を減少させることができる。
【００２５】
また、ＨＤＬＣフォーマットをＵＤＰ／ＩＰフォーマットに変換する際に、バイト単位で細分化したデータを受信する毎に、該バイト単位の細分化データ毎にＵＤＰ／ＩＰフォーマットに変換を行うことにより、該フォーマット変換処理における処理遅延を、バイト単位の細分化データの受信時間に短縮することができ、ＵＤＰ／ＩＰのプロトコルのネットワークを介して接続された送信相手先の情報伝送装置へのＨＤＬＣパケット転送の遅延時間を減少させることができる。
【発明を実施するための最良の形態】
【００２６】
図１は本発明によるゲートウェイ装置を示す。同図の（ａ）は、ＨＤＬＣフォーマットのパケットをＵＤＰ／ＩＰフォーマットに変換する構成、同図の（ｂ）は、ＵＤＰ／ＩＰフォーマットのパケットをＨＤＬＣフォーマットに変換する構成を示している。
【００２７】
図１（ａ）に示すように、本発明によるゲートウェイ装置１−１は、ＨＤＬＣ回線で接続された第１の情報伝送装置４−１から、ＨＤＬＣフォーマットのデータを受信し、該ＨＤＬＣフォーマットのデータを１バイト分受信する毎に出力する受信部１−１１と、該受信部１−１１から出力される１バイトのデータをＵＤＰ／ＩＰフォーマットのパケットへ変換するＵＤＰ／ＩＰ変換部１−１２と、該１バイトのデータのＵＤＰ／ＩＰパケットを、ＵＤＰ／ＩＰのプロトコルのＬＡＮ等のネットワークへ送信する送信部１−１３とを備える。
【００２８】
また、図１（ｂ）に示すように、本発明によるゲートウェイ装置１−１は、ＵＤＰ／ＩＰのプロトコルのＬＡＮ等のネットワークから、１バイトのデータのＵＤＰ／ＩＰパケットを受信する受信部１−１４と、該受信部１−１４で受信された１バイトのデータのＵＤＰ／ＩＰフォーマットのパケットを、ＨＤＬＣのフォーマットに変換するＨＤＬＣフォーマット変換部１−１５と、該ＨＤＬＣフォーマットのデータを１バイトずつ、ＨＤＬＣ回線を介して第２の送信先の情報伝送装置４−４へ送信する送信部１−１６とを備える。
【実施例１】
【００２９】
図２に本発明を適用した第１のネットワーク通信システムの実施例を示す。同図に示すように、この実施例のネットワーク通信システムは、第１の通信システム２−１と第２の通信システム２−２とが、ＵＤＰ／ＩＰのプロトコルのＬＡＮを介して接続されているものとする。第１の通信システム２−１は、第１の情報伝送装置２−１１と、第１のゲートウェイ装置２−１２と、第１のルータ２−１３とを備え、第１の情報伝送装置２−１１と第１のゲートウェイ装置２−１２とはＨＤＬＣ回線により接続されている。
【００３０】
また、第２の通信システム２−２は、第２の情報伝送装置２−２１と、第２のゲートウェイ装置２−２２と、第２のルータ２−２３とを備え、第２の情報伝送装置２−２１と第２のゲートウェイ装置２−２２とはＨＤＬＣ回線により接続されている。
【００３１】
まず、第１のゲートウェイ装置２−１２は、第１の情報伝送装置２−１１から送信されたＩコマンドのＨＤＬＣフレームを、１バイト受信する毎にＵＤＰ／ＩＰパケットに変換し、該ＵＤＰ／ＩＰパケットを、第１のルータ２−１３を通じてＵＤＰ／ＩＰのＬＡＮに送信する。
【００３２】
第２のゲートウェイ装置２−２２は、第１の送信元の情報伝送装置２−１１から送信され、ＵＤＰ／ＩＰのＬＡＮ及び第２のルータ２−２３を通じて受信された１バイトのデータ毎のＵＤＰ／ＩＰパケットをＨＤＬＣフレームに変換して、第２の情報伝送装置２−２１へ送信する。
【００３３】
ＨＤＬＣフレームのＩコマンドを受信した第２の情報伝送装置２−２１は、第１の情報伝送装置２−１１に対して、ＨＤＬＣフレームのＲＲレスポンスを送信する。該ＨＤＬＣフレームのＲＲレスポンスも、Ｉコマンドの場合と同様に、第２のゲートウェイ装置２−２２において、１バイト受信する毎にＵＤＰ／ＩＰパケットに変換してＵＤＰ／ＩＰのＬＡＮに送信し、第１のゲートウェイ装置２−１２は、ＵＤＰ／ＩＰのＬＡＮ及び第１のルータ２−１３を通じて受信された１バイトのデータ毎のＵＤＰ／ＩＰパケットをＨＤＬＣフレームに変換して、第１の情報伝送装置２−１１へ送信する。
【００３４】
第１の情報伝送装置２−１１は、第２の情報伝送装置２−２１から送信されたＲＲレスポンスを受信した後、次のＨＤＬＣフレームの送信を行う。なお、第１のゲートウェイ装置２−１２及び第２のゲートウェイ装置２−２２は、それぞれ、ＨＤＬＣフォーマットとＵＤＰ／ＩＰフォーマットとの双方向の変換を行って送信する機能を有する。
【実施例２】
【００３５】
図３は本発明を適用した第２のネットワーク通信システムの実施例を示す。この実施例は、前述の実施例１の通信システムにおけるゲートウェイ装置及びルータの機能を、情報伝送装置内に具備したものである。図３に示すように、この実施例のネットワーク通信システムは、第１の情報伝送装置３−１と第２の情報伝送装置３−２とを、ＵＤＰ／ＩＰのプロトコルのＬＡＮを介して接続して構成されている。
【００３６】
第１及び第２の情報伝送装置３−１，３−２は、外部装置（図示省略）とＨＤＬＣ回線で接続され、ＨＤＬＣ手順で送受信を行う通信部（図示省略）と、ＨＤＬＣフォーマットとＵＤＰ／ＩＰフォーマットとの変換を行うプロトコル変換部３−１１，３−２１と、ルータ３−１２，３−２２とを備える。プロトコル変換部３−１１，３−２１は、実施例１における第１のゲートウェイ装置２−１１，２−２１と同等の機能を有し、ＨＤＬＣフォーマットとＵＤＰ／ＩＰフォーマットとの双方向の変換を行う。
【００３７】
外部装置（図示省略）からＩコマンドのＨＤＬＣフレームを受信した第１の情報伝送装置３−１のプロトコル変換部３−１１は、１バイト受信する毎にＵＤＰ／ＩＰフォーマットのパケットに変換し、ルータ３−１２を介してＵＤＰ／ＩＰのＬＡＮへ送信する。そして、ＵＤＰ／ＩＰのＬＡＮからルータ３−２２を介してＵＤＰ／ＩＰパケットを受信した第２の情報伝送装置３−２は、該１バイトのデータのＵＤＰ／ＩＰパケット受信する毎に、ＨＤＬＣフォーマットへ変換し、ＨＤＬＣフレームのＩコマンドを外部装置（図示省略）へ送信する。
【００３８】
該ＨＤＬＣフレームのＩコマンドを受信した外部装置（図示省略）は、第１の情報伝送装置３−１に対してＨＤＬＣフレームのＲＲレスポンスを送信する。該ＨＤＬＣフレームのＲＲレスポンスを受信した第２の情報伝送装置３−２は、プロトコル変換部３−２１でＲＲレスポンスのＨＤＬＣフォーマットのデータを、１バイトずつＵＤＰ／ＩＰフォーマットに変換してＬＡＮに送信する。
【００３９】
第１の情報伝送装置３−１は、ＵＤＰ／ＩＰのＬＡＮを通じて受信された１バイトのデータ毎のＵＤＰ／ＩＰパケットを、プロトコル変換部３−１１でＨＤＬＣフォーマットに変換し、ＨＤＬＣフォーマットのＲＲレスポンスを外部装置（図示省略）へ送信する。該ＲＲレスポンスを受信した外部装置（図示省略）は、該ＲＲレスポンスの受信により、次のＨＤＬＣフレームの送信を行う。
【００４０】
なお、図１〜図３には、ＨＤＬＣフォーマットをＵＤＰ／ＩＰフォーマットに変換する際に、１バイトのデータを受信する毎に、１バイトデータずつＵＤＰ／ＩＰフォーマットに変換を行う構成について示したが、本発明は該構成に限定されるものではなく、バイト単位で細分化したデータを受信する毎に、該バイト単位の細分化データ毎にＵＤＰ／ＩＰフォーマットに変換を行う構成に容易に変形可能である。
【図面の簡単な説明】
【００４１】
【図１】本発明によるゲートウェイ装置を示す図である。
【図２】本発明を適用した第１のネットワーク通信システムの実施例を示す図である。
【図３】本発明を適用した第２のネットワーク通信システムの実施例を示す図である。
【図４】従来のＨＤＬＣフォーマット−ＵＤＰ／ＩＰパケット変換の手順を示す図である。
【図５】従来のＨＤＬＣフォーマット−ＵＤＰ／ＩＰパケット変換でＲＲレスポンス（ＨＤＬＣパケット）の返送を早める手順を示す図である。
【符号の説明】
【００４２】
１−１  ゲートウェイ装置
１−１１  受信部
１−１２  ＵＤＰ／ＩＰ変換部
１−１３  送信部
１−１４  受信部
１−１５  ＨＤＬＣフォーマット変換部
１−１６  送信部
４−１  情報伝送装置
４−４  情報伝送装置
【図１】
2008219215.tif 000003
【図２】
2008219215.tif 000004
【図３】
2008219215.tif 000005
【図４】
2008219215.tif 000006
【図５】
2008219215.tif 000007